(57)【要約】【課題】随時、宝くじ券販売サイトと宝くじ券売り場の間で、販売する宝くじ券の振替の管理を行うことができ、また販売量に応じて宝くじ券を製造することのできる宝くじ券販売装置を提供する。【解決手段】振替管理部１２は、在庫宝くじ券情報が在庫管理データベース１４に存在するか否かを確認し、存在する場合には、在庫管理データベース１４から売り場販売管理データベース１５もしくはネットワーク販売管理データベース１６へ在庫宝くじ券情報を振り替える。また、在庫宝くじ券情報が無い場合には、ネットワーク販売管理データベース１６で保持する未販売宝くじ券情報を売り場販売管理データベース１５へ振り替え、または売り場販売管理データベース１５で保持する未販売宝くじ券情報をネットワーク販売管理データベース１６へ振り替える。【選択図】  図１
2004199583.tif 000002
【特許請求の範囲】
【請求項１】
宝くじ券を販売する販路毎の未販売宝くじ券情報及び販売済み宝くじ券情報を保持する宝くじ券販売管理データベースと、
前記販路に割り振られていない販路未決定の在庫宝くじ券情報を保持する在庫管理データベースと、
前記販路毎の販売情報の受信に基づいて、前記宝くじ券販売管理データベースで保持する販路毎の未販売宝くじ券情報を販売済み宝くじ券情報へと更新する受付管理部と、
前記受付管理部が前記販売情報を受信することにより特定販路の未販売宝くじ券情報の示す宝くじ券が不足すると、前記在庫管理データベースで保持する前記在庫宝くじ券情報もしくは他の販路に割り振られている前記未販売宝くじ券情報のどちらか一方を前記特定販路の未販売宝くじ券情報として振り替える振替管理部と、
を備えることを特徴とする宝くじ券販売装置。
【請求項２】
宝くじ券売り場で販売する未販売宝くじ券情報及び販売済み宝くじ券情報を保持する売り場販売管理データベースと、
通信ネットワーク上に開設する宝くじ券販売サイトで販売する未販売宝くじ券情報及び販売済み宝くじ券情報を保持するネットワーク販売管理データベースと、
前記売り場販売管理データベースまたは前記ネットワーク販売管理データベースに割り振られていない販路未決定の在庫宝くじ券情報を保持する在庫管理データベースと、
前記宝くじ券売り場で販売された宝くじ券の販売情報もしくは前記宝くじ券販売サイトで販売された宝くじ券の販売情報の受信に基づいて、前記売り場販売管理データベースもしくは前記ネットワーク販売管理データベースで保持する該販売された宝くじ券に対応する未販売宝くじ券情報を販売済み宝くじ券情報へと更新する受付管理部と、
前記受付管理部が前記販売情報を受信することにより前記売り場販売管理データベースもしくは前記ネットワーク販売管理データベースで保持する未販売宝くじ券情報の示す宝くじ券が不足すると、前記在庫管理データベースで保持する前記在庫宝くじ券情報もしくは前記売り場販売管理データベース又は前記ネットワーク販売管理データベースで保持する未販売宝くじ券情報を、前記未販売宝くじ券情報の示す宝くじ券が不足している売り場販売管理データベースまたはネットワーク販売管理データベースへ振り替える振替管理部と、
を備えることを特徴とする宝くじ券販売装置。
【請求項３】
宝くじ券を販売する販路毎の未販売宝くじ券情報及び販売済み宝くじ券情報を保持する宝くじ券販売管理データベースと、前記販路に割り振られていない販路未決定の在庫宝くじ券情報を保持する在庫管理データベースとを備えた宝くじ券販売装置における宝くじ券販売方法であって、
前記販路毎の販売情報を受信する販売情報受信過程と、
前記販売情報の受信に基づいて、前記宝くじ券販売管理データベースで保持する販路毎の未販売宝くじ券情報を販売済み宝くじ券情報へと更新する宝くじ券情報更新過程と、
前記販売情報受信過程において前記販売情報を受信することにより特定販路の未販売宝くじ券情報の示す宝くじ券が不足すると、前記在庫管理データベースで保持する前記在庫宝くじ券情報もしくは他の販路に割り振られている前記未販売宝くじ券情報のどちらか一方を前記特定販路の未販売宝くじ券情報として振り替える宝くじ券振替過程と、
を備えることを特徴とする宝くじ券販売方法。
【請求項４】
宝くじ券売り場で販売する未販売宝くじ券情報及び販売済み宝くじ券情報を保持する売り場販売管理データベースと、通信ネットワーク上に開設する宝くじ券販売サイトで販売する未販売宝くじ券情報及び販売済み宝くじ券情報を保持するネットワーク販売管理データベースと、前記売り場販売管理データベースまたは前記ネットワーク販売管理データベースに割り振られていない販路未決定の在庫宝くじ券情報を保持する在庫管理データベースとを備えた宝くじ券販売装置における宝くじ券販売方法であって、
前記宝くじ券売り場で販売された宝くじ券の販売情報もしくは前記宝くじ券販売サイトで販売された宝くじ券の販売情報を受信する販売情報受信過程と、
前記販売情報の受信に基づいて、前記売り場販売管理データベースもしくは前記ネットワーク販売管理データベースで保持する該販売された宝くじ券に対応する未販売宝くじ券情報を販売済み宝くじ券情報へと更新する宝くじ券情報更新過程と、
前記受付管理部が前記販売情報を受信することにより前記売り場販売管理データベースもしくは前記ネットワーク販売管理データベースで保持する未販売宝くじ券情報の示す宝くじ券が不足すると、前記在庫管理データベースで保持する前記在庫宝くじ券情報もしくは前記売り場販売管理データベースまたは前記ネットワーク販売管理データベースで保持する未販売宝くじ券情報を、前記未販売宝くじ券情報の示す宝くじ券が不足している売り場販売管理データベースまたはネットワーク販売管理データベースへ振り替える宝くじ券振替過程と、
を備えることを特徴とする宝くじ券販売方法。
【発明の詳細な説明】
【０００１】
【発明の属する技術分野】
この発明は、通信ネットワーク上のコンピュータシステムに係り、特に、宝くじ券の販売を行う宝くじ券販売装置及び宝くじ券販売方法に関するものである。
【０００２】
【従来の技術】
従来、宝くじ券は、街角の宝くじ券売り場や通信ネットワーク上の宝くじ券販売サイトで販売される（例えば、特許文献１参照）。そして、販路未決定の在庫宝くじ券情報や、各販路に割り振られた宝くじ券の未販売宝くじ券などの情報は、それぞれ販路毎で別々に管理して販売を行っている。また、宝くじ券は、宝くじ券販売サイトまたは宝くじ券売り場のどちらの販路で販売する場合も製造されている。
【０００３】
【特許文献１】
特開２００２−１２３６４６号公報
【０００４】
【発明が解決しようとする課題】
しかしながら、上述の宝くじ券の販売方法では、例えば、宝くじ券売り場で宝くじ券の在庫が余ってしまい、宝くじ券販売サイトで未販売宝くじが不足した場合などは、宝くじ券売り場から宝くじ券販売サイトへの販売宝くじ券の振り替えが出来ない。また、宝くじ券売り場や宝くじ販売サイトでの販売量に応じて宝くじ券を製造していないので、宝くじ券が余ってしまう場合があった。
そこでこの発明は、随時、宝くじ券販売サイトと宝くじ券売り場の間で、販売する宝くじ券の振替の管理を行うことができ、また販売量に応じて宝くじ券を製造することのできる宝くじ券販売装置及び宝くじ券販売方法を提供することを目的としている。
【０００５】
【課題を解決するための手段】
本発明は、上述の課題を解決すべくなされたもので、請求項１に記載の発明は、宝くじ券を販売する販路毎の未販売宝くじ券情報及び販売済み宝くじ券情報を保持する宝くじ券販売管理データベースと、前記販路に割り振られていない販路未決定の在庫宝くじ券情報を保持する在庫管理データベースと、前記販路毎の販売情報の受信に基づいて、前記宝くじ券販売管理データベースで保持する販路毎の未販売宝くじ券情報を販売済み宝くじ券情報へと更新する受付管理部と、前記受付管理部が前記販売情報を受信することにより特定販路の未販売宝くじ券情報の示す宝くじ券が不足すると、前記在庫管理データベースで保持する前記在庫宝くじ券情報もしくは他の販路に割り振られている前記未販売宝くじ券情報のどちらか一方を前記特定販路の未販売宝くじ券情報として振り替える振替管理部とを備えることを特徴とする宝くじ券販売装置である。
【０００６】
また、請求項２に記載の発明は、宝くじ券売り場で販売する未販売宝くじ券情報及び販売済み宝くじ券情報を保持する売り場販売管理データベースと、通信ネットワーク上に開設する宝くじ券販売サイトで販売する未販売宝くじ券情報及び販売済み宝くじ券情報を保持するネットワーク販売管理データベースと、前記売り場販売管理データベースまたは前記ネットワーク販売管理データベースに割り振られていない販路未決定の在庫宝くじ券情報を保持する在庫管理データベースと、前記宝くじ券売り場で販売された宝くじ券の販売情報もしくは前記宝くじ券販売サイトで販売された宝くじ券の販売情報の受信に基づいて、前記売り場販売管理データベースもしくは前記ネットワーク販売管理データベースで保持する該販売された宝くじ券に対応する未販売宝くじ券情報を販売済み宝くじ券情報へと更新する受付管理部と、前記受付管理部が前記販売情報を受信することにより前記売り場販売管理データベースもしくは前記ネットワーク販売管理データベースで保持する未販売宝くじ券情報の示す宝くじ券が不足すると、前記在庫管理データベースで保持する前記在庫宝くじ券情報もしくは前記売り場販売管理データベース又は前記ネットワーク販売管理データベースで保持する未販売宝くじ券情報を、前記未販売宝くじ券情報の示す宝くじ券が不足している売り場販売管理データベースまたはネットワーク販売管理データベースへ振り替える振替管理部とを備えることを特徴とする宝くじ券販売装置である。
【０００７】
また、請求項３に記載の発明は、宝くじ券を販売する販路毎の未販売宝くじ券情報及び販売済み宝くじ券情報を保持する宝くじ券販売管理データベースと、前記販路に割り振られていない販路未決定の在庫宝くじ券情報を保持する在庫管理データベースとを備えた宝くじ券販売装置における宝くじ券販売方法であって、前記販路毎の販売情報を受信する販売情報受信過程と、前記販売情報の受信に基づいて、前記宝くじ券販売管理データベースで保持する販路毎の未販売宝くじ券情報を販売済み宝くじ券情報へと更新する宝くじ券情報更新過程と、前記販売情報受信過程において前記販売情報を受信することにより特定販路の未販売宝くじ券情報の示す宝くじ券が不足すると、前記在庫管理データベースで保持する前記在庫宝くじ券情報もしくは他の販路に割り振られている前記未販売宝くじ券情報のどちらか一方を前記特定販路の未販売宝くじ券情報として振り替える宝くじ券振替過程とを備えることを特徴とする宝くじ券販売方法である。
【０００８】
また、請求項４に記載の発明は、宝くじ券売り場で販売する未販売宝くじ券情報及び販売済み宝くじ券情報を保持する売り場販売管理データベースと、通信ネットワーク上に開設する宝くじ券販売サイトで販売する未販売宝くじ券情報及び販売済み宝くじ券情報を保持するネットワーク販売管理データベースと、前記売り場販売管理データベースまたは前記ネットワーク販売管理データベースに割り振られていない販路未決定の在庫宝くじ券情報を保持する在庫管理データベースとを備えた宝くじ券販売装置における宝くじ券販売方法であって、前記宝くじ券売り場で販売された宝くじ券の販売情報もしくは前記宝くじ券販売サイトで販売された宝くじ券の販売情報を受信する販売情報受信過程と、前記販売情報の受信に基づいて、前記売り場販売管理データベースもしくは前記ネットワーク販売管理データベースで保持する該販売された宝くじ券に対応する未販売宝くじ券情報を販売済み宝くじ券情報へと更新する宝くじ券情報更新過程と、前記受付管理部が前記販売情報を受信することにより前記売り場販売管理データベースもしくは前記ネットワーク販売管理データベースで保持する未販売宝くじ券情報の示す宝くじ券が不足すると、前記在庫管理データベースで保持する前記在庫宝くじ券情報もしくは前記売り場販売管理データベースまたは前記ネットワーク販売管理データベースで保持する未販売宝くじ券情報を、前記未販売宝くじ券情報の示す宝くじ券が不足している売り場販売管理データベースまたはネットワーク販売管理データベースへ振り替える宝くじ券振替過程とを備えることを特徴とする宝くじ券販売方法である。
【０００９】
【発明の実施の形態】
以下、本発明の一実施形態による宝くじ券販販売装置を用いた宝くじ券販売システムを図面を参照して説明する。
図１は同宝くじ券販売システムの構成を示す概略ブロック図である。この図において、符号１は宝くじ券売り場で取扱う宝くじ券の情報の管理と、インターネット上の宝くじ券販売サイトでの宝くじ券の情報の管理とを共に行う宝くじ券販売装置であり、本実施形態においては宝くじ券販売サイトをインターネット上に開設するＷＷＷサーバの機能を備えている。２は、宝くじ券販売装置１と購入者端末とを接続するインターネット（通信ネットワーク）である。３は購入者端末である。購入者端末３は実際には複数存在しているが、図１においては代表的に一つのみ示している。４は宝くじ券売り場の売り場端末であり、宝くじ券販売装置１とは専用回線を介して接続されている。また、５は工場であり専用回線を介して宝くじ券販売装置１と接続されている。尚、売り場端末４及び工場５は図１で示す様に専用回線を介して宝くじ券販売装置１に接続する代わりに、インターネット２を介して宝くじ券販売装置１と接続してもよい。
【００１０】
次に、この宝くじ券販売装置１の詳細な構成を説明する。図１において、符号１１は購入者端末３もしくは、売り場端末４からのアクセスを受付ける受付管理部であり、上述のＷＷＷサーバの機能を備えている。１２は宝くじ券売り場と宝くじ券販売サイトで販売される宝くじ券の振替を管理する振替管理部である。１３は工場５へ宝くじ券の製造指示を行う製造指示管理部である。１４は宝くじ券売り場もしくは宝くじ券販売サイトの２つの販路に割り振られていない販路未決定の在庫宝くじ券の情報を管理する在庫管理データベースである。１５は宝くじ券売り場で販売する宝くじ券情報を保持する売り場販売管理データベースである。１６はインターネット上の宝くじ券販売サイトで販売する宝くじ券情報を保持するネットワーク販売管理データベースである。そして、在庫管理データベース１４は、売り場販売管理データベース１５とネットワーク販売管理データベース１６で管理している宝くじ券情報の未販売宝くじ券に不足が生じた場合に備えて販路未決定の在庫宝くじ券情報を保持している。
【００１１】
ここで、図２は、在庫管理データベース１４で保持している宝くじ券情報の内容を示す表である。図２より、在庫管理データベース１４で保持している宝くじ券情報は、各宝くじ券の「ブロック番号」、「回号」、「ユニット番号」、「組番号」、「抽せん番号」、「製造済みフラグ」とで構成される情報である。尚、「ブロック番号」とは販売地域を特定する番号である。また「回号」は、ある宝くじ券の販売回数を表す番号である。また「ユニット番号」は、例えばある宝くじ券が１組から９９組まで合った場合に、１組から９９組までを一つのユニットとして決定する番号である。
【００１２】
また、図３は、売り場販売管理データベース１５で保持する宝くじ券情報の内容を示す表である。図３より売り場販売管理データベース１５で保持する宝くじ券情報は、「ブロック番号」、「回号」、「ユニット番号」、「組番号」、「抽せん番号」、「配送先コード」、「配送済みフラグ」、「販売済みフラグ」とで構成される情報である。尚、「配送先コード」とは、製造した宝くじ券の証票がどこの宝くじ券売り場へ配送されたかを判断するコードであり、宝くじ券売り場ごとに「配送先コード」が振られている。また、「配送済みフラグ」とは、売り場販売管理データベース１５で保持する宝くじ券が工場５において証票として製造され、さらに配送されたことを示すフラグであり、既に工場５から証票が配送されている場合には、この「配送済みフラグ」が「１」となっている。また、「販売済みフラグ」とは宝くじ券売り場で該当する宝くじ券が販売されたかどうかを示すフラグであり、この「販売済みフラグ」が「１」である場合には、宝くじ券売り場において販売済みであることを示している。
【００１３】
また、図４は、ネットワーク販売管理データベース１６で保持する宝くじ券情報の内容を示す表である。図４より、ネットワーク販売管理データベース１６で保持する宝くじ券情報は、「ブロック番号」、「回号」、「ユニット番号」、「組番号」、「抽せん番号」、「製造済みフラグ」、「販売済みフラグ」とで構成される情報である。尚、「製造済みフラグ」とは、実際に該当する宝くじ券が工場５で製造されているかどうかを示すフラグであり、この「製造済みフラグ」が「１」である場合には、既に工場５において宝くじ券が製造されている事を示している。そして、例えば、宝くじ券の購入者が証票の送付を希望している時には、宝くじ券を購入者に配送する。
【００１４】
尚、振替管理部１２には、各宝くじ券売り場における宝くじ券種類毎（「回号」毎）の未販売宝くじ券の最低枚数は、３０００枚でなければならないという情報が設定されているとする。これにより、振替管理部１２は、売り場販売管理データベース１５の各「回号」毎の「配送コード」が同じ宝くじ券情報において、未販売宝くじ券レコードの数が３０００以下になった場合、宝くじ券売り場で未販売宝くじ券が不足していると判断する。また、振替管理部１２には、宝くじ券販売サイトにおいて、宝くじ券種類毎（「回号」毎）の未販売宝くじ券レコードの最低数は、５０００枚でなければならないという情報が設定されているとする。これにより、ネットワーク販売管理データベース１６で未販売宝くじ券レコードの数が５０００以下になった場合、振替管理部１２は宝くじ券販売サイトで保有する未販売宝くじ券が不足していると判断する。
【００１５】
そして、振替管理部１２は売り場販売管理データベース１５もしくはネットワーク販売管理データベース１６で未販売宝くじ券レコードが不足した場合には、在庫管理データベース１４から売り場販売管理データベース１５もしくはネットワーク販売管理データベース１６へ在庫宝くじ券レコードを振り替える。ここで、在庫管理データベース１４から売り場販売管理データベース１５もしくはネットワーク販売管理データベース１６へ在庫宝くじ券レコードを振り替える際に、在庫管理データベース１５に在庫宝くじ券レコードが無い場合も考えられる。このとき、振替管理部１２は、売り場販売管理データベース１５で未販売宝くじ券レコードが不足した場合にはネットワーク販売管理データベース１６で未販売宝くじ券レコードが十分存在するかどうかを確認し、十分存在する場合には、その半分の未販売宝くじ券レコードを売り場販売管理データベースの未販売宝くじ券レコードとして振り替える。
【００１６】
また、振替管理部１２は、ネットワーク販売管理データベース１６で未販売宝くじ券レコードが不足した場合には売り場販売管理データベース１５で未販売宝くじ券レコードが十分存在するかどうかを確認し、十分存在する場合には、その半分の未販売宝くじ券レコードをネットワーク販売管理データベースの未販売宝くじ券レコードとして振り替える。
そして、振替管理部１２は、売り場販売管理データベースの宝くじ券情報で未販売宝くじ券レコードが売り場毎に３００１以上あった場合には、未販売宝くじ券レコードが十分存在していると判断する。また、振替管理部１２は、ネットワーク販売管理データベース１６の宝くじ券情報で未販売宝くじ券レコードが５００１以上あった場合には、未販売宝くじ券レコードが十分存在していると判断する。
【００１７】
次に、上述した宝くじ券販売装置１の動作を図５〜図８を参照しながら詳細に説明する。
図５は本実施形態における宝くじ券販売装置１において、売り場販売管理データベースで未販売宝くじ券レコードが不足した場合の処理概要を示すフローチャートである。図５より、まず、宝くじ券販売装置１の受け付け管理部１１は、宝くじ券売り場の売り場端末４より、宝くじ券売り場で販売した宝くじ券の販売情報を受信する（ステップＳ１）。この販売情報は販売した宝くじ券の「ブロック番号」、「回号」、「ユニット番号」、「組番号」、「抽せん番号」、「配送先コード」、「配送済みフラグ」、「販売済みフラグ」からなる情報が格納されており、受付管理部１１は売り場端末４から受信した販売情報によって、宝くじ券売り場で販売した宝くじ券を把握し、売り場販売管理データベース１５で保持している該当宝くじ券情報の「販売済みフラグ」を「１」にする。
【００１８】
受付管理部１１が売り場端末４から販売情報を得て、売り場販売管理データベース１５の宝くじ券情報の「販売済みフラグ」を「１」にしていくと、「販売済みフラグ」が「０」である宝くじ券（未販売宝くじ券）のレコードが少なくなる。そして、売り場販売管理データベース１５で保持する宝くじ券情報において、ある宝くじ券売り場の特定「回号」での、「販売済みフラグ」が「０」となる宝くじ券レコードの総計が３０００以下になったとする。すると、振替管理部１２は、その宝くじ券売り場で保有する未販売の宝くじ券レコードが不足していると判断し（ステップＳ２）、そして、在庫管理データベース１４で保持している宝くじ券情報から、設定枚数分だけ売り場販売管理データベース１５に在庫宝くじ券レコードを振り替える処理を行う（ステップＳ３）。そして、振替管理部１２は、在庫管理データベースで保持する宝くじ券情報から、売り場販売管理データベース１５に振り替えた在庫宝くじ券レコードの情報を消し込む。
【００１９】
また、振替管理部１２は、在庫宝くじ券レコードを在庫管理データベースで保持する宝くじ券情報から売り場販売管理データベース１５に振り替える際に、「製造済みフラグ」が「０」であるかどうかを確認する（ステップＳ４）。ここで、「製造済みフラグ」が「０」である場合には該在庫宝くじ券の証票が製造済みで無いと判断する。そして、在庫宝くじ券レコードに対応する宝くじ券の証票が製造済みで無い場合には、振り替えた在庫宝くじ券レコードの情報を製造指示管理部１３に伝える。そして、製造指示管理部１３は、振替管理部１２から得た「製造済みフラグ」が「０」となっている在庫宝くじ券レコードを工場５に伝えることで、工場５に在庫宝くじ券の証票の製造指示を行う（ステップＳ５）。これにより、工場５において振替管理部１２が在庫管理データベース１４から売り場販売管理データベース１５に振り替えた宝くじ券レコードに対応する宝くじ券の証票の製造が行われ、工場５から宝くじ券売り場へ宝くじ券の証票が配送される（ステップＳ６）。
【００２０】
次に、ネットワーク販売管理データベースで未販売宝くじ券レコードが不足した場合の宝くじ券販売装置１の処理について説明する。
図６は本実施形態における宝くじ券販売装置１において、ネットワーク販売管理データベースで未販売宝くじ券レコードが不足した場合の処理概要を示すフローチャートである。
宝くじ券販売装置１の受け付け管理部１１は、宝くじ券販売サイトをインターネット上に開設するＷｅｂサーバの機能を備えているので、宝くじ券販売サイトにアクセスした購入者端末３に対して、宝くじ券の「ブロック番号」、「回号」、「ユニット番号」、「組番号」、「抽せん番号」選択画面を提示する。そして購入者は、購入者端末３から「ブロック番号」、「回号」、「ユニット番号」、「組番号」、「抽せん番号」の指定を行って、宝くじの購入申込みを行うと、購入者端末３から受付管理部１１に販売情報が送信され、受付管理部１１が販売情報を受信する（ステップＳ７）。この販売情報には購入者が指定した「ブロック番号」、「回号」、「ユニット番号」、「組番号」、「抽せん番号」の情報が格納されている。
【００２１】
次に、宝くじ券販売装置１の受付管理部１１は、購入者端末３から受信した販売情報から、販売する宝くじ券の「ブロック番号」、「回号」、「ユニット番号」、「組番号」、「抽せん番号」の情報を把握し、ネットワーク販売管理データベース１６で保持する宝くじ券情報の中の該当する宝くじ券レコードの「販売済みフラグ」を「１」にする。
【００２２】
そして、受付管理部１１が購入者端末３から販売情報を受信して、ネットワーク販売管理データベース１６の宝くじ券情報の「販売済みフラグ」を「１」にしていくと、「販売済みフラグ」が「０」である未販売宝くじ券が少なくなる。そして、ネットワーク販売管理データベース１５で保持する宝くじ券情報において、ある宝くじ券売り場の特定「回号」での、「販売済みフラグ」が「０」となる宝くじ券レコードの総計が５０００以下になった場合には、振替管理部１２は、宝くじ券販売サイトで保有する未販売宝くじ券が不足していると判断し（ステップＳ８）、在庫管理データベース１４で保持している宝くじ券情報から、設定枚数分だけネットワーク販売管理データベース１５に未販売宝くじ券レコードを振り替える処理を行う（ステップＳ９）。そして、振替管理部１２は、在庫管理データベース１４で保持する宝くじ券情報から、ネットワーク販売管理データベース１５に振り替えた未販売宝くじ券レコードの情報を消しこむ。
【００２３】
次に、在庫管理データベース１４で管理する宝くじ券情報から、在庫宝くじ券レコードが無くなった状況下において、売り場販売管理データベースで未販売宝くじ券レコードが不足した場合の宝くじ券販売装置１の処理について説明する。
図７は本実施形態における在庫管理データベース１４で管理する宝くじ券情報から、在庫宝くじ券レコードが無くなった状況下において、売り場販売管理データベースで未販売宝くじ券レコードが不足した場合の宝くじ券販売装置１の処理概要を示すフローチャートである。
【００２４】
まず、宝くじ券販売装置１の受け付け管理部１１は、宝くじ券売り場の売り場端末４より、宝くじ券売り場で販売した宝くじ券の販売情報を受信する（ステップＳ１０）。そして、受付管理部１１は売り場端末４から受信した販売情報によって、宝くじ券売り場で販売した宝くじ券を把握し、売り場販売管理データベース１５で保持している該当宝くじ券情報の「販売済みフラグ」を「１」にする。
受付管理部１１が売り場端末４から販売情報を受信して、売り場販売管理データベース１５の宝くじ券情報の「販売済みフラグ」を「１」にしていくと、「販売済みフラグ」が「０」である未販売宝くじ券レコードが少なくなる。振替管理部１２は、売り場販売管理データベース１５の各「回号」毎の「配送コード」が同じ宝くじ券情報において、「販売済みフラグ」が「０」である未販売宝くじ券の枚数が３０００以下になると、「配送コード」に対応する宝くじ券売り場で未販売宝くじ券が不足していると判断する。
【００２５】
そして、次に振替管理部１２は、在庫管理データベース１４で保持している在庫宝くじ券レコードから、設定枚数分だけ売り場販売管理データベース１５に在庫宝くじ券レコードを振り替える処理を行おうとする。ここで、在庫管理データベース１５に在庫宝くじ券レコードが無い場合、振替管理部１２はネットワーク販売管理データベース１６に未販売宝くじ券レコードが十分存在するかどうかを確認する。これは、ネットワーク販売管理データベース１６の宝くじ券情報の「販売済みフラグ」の数を把握することで確認できる。
そして、振替管理部１２がネットワーク販売管理データベース１６の宝くじ券情報を確認して、「販売済みフラグ」が「０」となる未販売宝くじ券レコードが４０００あったとすると、振替管理部１２は宝くじ券販売サイトで販売する未販売宝くじ券レコードが十分存在すると判断し（ステップＳ１１）、ネットワーク販売管理データベース１６の未販売宝くじ券レコード４０００枚の内、半分の２０００枚分の未販売宝くじ券レコードを、売り場販売管理データベース１５に振り替える処理を行う（ステップＳ１２）。そして、振替管理部１２は、ネットワーク販売管理データベース１６で保持する宝くじ券情報から、売り場販売管理データベース１５に振り替えた未販売宝くじ券レコードを消し込む。
【００２６】
また、振替管理部１２は、未販売宝くじ券レコードをネットワーク販売管理データベース１６で保持する宝くじ券情報から売り場販売管理データベース１５に振り替える際に、「製造済みフラグ」が「０」であるかを確認する（ステップＳ１３）。ここで、振替管理部１２は「製造済みフラグ」が「０」である場合には該未販売宝くじ券レコードの証票が製造済みで無いと判断する。そして、振替管理部１２は、該未販売宝くじ券レコードの証票が製造済みで無い場合には、振り替えた未販売宝くじ券レコードを製造指示管理部１３に伝える。そして、製造指示管理部１３は、振替管理部１２から得た「製造済みフラグ」が「０」となっている未販売宝くじ券レコードを工場５に伝えることで、振り替えた未販売宝くじ券の証票の製造指示を行う（ステップＳ１４）。これにより、工場５において振替管理部１２が在庫管理データベース１４から売り場販売管理データベース１５に振り替えた未販売宝くじ券レコードの証票の製造が行われ、工場５から宝くじ券売り場へ宝くじ券の証票が配送される（ステップＳ１５）。
【００２７】
次に、在庫管理データベース１４で管理する宝くじ券情報から、在庫宝くじ券レコードが無くなった状況下において、ネットワーク販売管理データベースで未販売宝くじ券レコードが不足した場合の宝くじ券販売装置１の処理について説明する。
図８は本実施形態における在庫管理データベース１４で管理する宝くじ券情報から、在庫宝くじ券レコードが無くなった状況下において、ネットワーク販売管理データベースで未販売宝くじ券レコードが不足した場合の宝くじ券販売装置１の処理概要を示すフローチャートである。
【００２８】
まず、宝くじ券販売装置１の受付管理部１１は、購入者端末３から販売情報を受信する。そして、販売情報から「ブロック番号」、「回号」、「ユニット番号」、「組番号」、「抽せん番号」の情報を把握し、ネットワーク販売管理データベース１６で保持する宝くじ券情報において、販売情報に該当する未販売宝くじ券レコードの「販売済みフラグ」を「１」にする。
【００２９】
ここで、受付管理部１１が購入者端末３から販売情報を受信して（ステップＳ１６）、ネットワーク販売管理データベース１６の宝くじ券情報の該当する宝くじ券レコードの「販売済みフラグ」を「１」にしていくと、「販売済みフラグ」が「０」である宝くじ券レコードが少なくなる。そして、振替管理部１２は、在庫管理データベース１４で保持している宝くじ券情報から、設定枚数分だけネットワーク販売管理データベース１６に宝くじ券レコードを振り替える処理を行おうとするが、ここで、在庫管理データベース１４に在庫宝くじ券レコードが無いと判断した場合、振替管理部１２は売り場販売管理データベース１５に、未販売宝くじ券レコードの情報が残っているかどうかを確認する。これは、売り場販売管理データベース１５の宝くじ券情報の「販売済みフラグ」の数を把握することで確認できる。
【００３０】
そして、次に、振替管理部１２が売り場販売管理データベース１５の宝くじ券情報を確認して、「販売済みフラグ」が「０」となる未販売宝くじ券レコードが６０００あったとすると、振替管理部１２は宝くじ券売り場で販売する未販売宝くじ券レコードが余っていると判断する（ステップＳ１７）。これにより振替管理部１２は、売り場販売管理データベース１６の宝くじ券情報から「販売済みフラグ」が「０」となっている未販売宝くじ券レコード６０００枚の内の半分の３０００枚を、ネットワーク販売管理データベース１６に振り替える処理を行う（ステップＳ１８）。そして、振替管理部１２は、売り場販売管理データベース１５で保持する宝くじ券情報から、ネットワーク販売管理データベース１６に振り替えた未販売宝くじ券レコードの情報を消しこむ。
【００３１】
尚、本実施形態においては、販売状況に応じて自動的に宝くじ券の不足した販路へ、別の販路の未販売宝くじ券や在庫宝くじ券の振替えを行なう処理を記載したが、販売状況と在庫の状況に応じて、各販路からの要求により未販売宝くじ券や在庫宝くじ券を振替えるようにしても良い。
【００３２】
【発明の効果】
以上説明したように、請求項１及び請求項３の発明によれば、販路毎の販売情報を受信に基づいて、宝くじ券販売管理データベースで保持する販路毎の未販売宝くじ券情報を販売済み宝くじ券情報へと更新し、販売情報を受信することにより特定販路の未販売宝くじ券情報の示す宝くじ券が不足すると、在庫管理データベースで保持する在庫宝くじ券情報もしくは他の販路に割り振られている未販売宝くじ券情報のどちらか一方を特定販路の未販売宝くじ券情報として振り替える。
これにより、特定販路で未販売宝くじ券情報が不足しても、随時、在庫管理データベースの在庫宝くじ券情報や、宝くじ券販売管理データベースの他の販路の未販売宝くじ券情報を、特定販路の未販売宝くじ券情報として振り替えることが出来るので、各販路の未販売宝くじ券が不足することなく管理することができる。
【００３３】
また、請求項２及び請求項４の発明によれば、宝くじ券売り場で販売された宝くじ券の販売情報もしくは宝くじ券販売サイトで販売された宝くじ券の販売情報を受信し、販売情報の受信に基づいて、売り場販売管理データベースもしくはネットワーク販売管理データベースで保持する該販売された宝くじ券に対応する未販売宝くじ券情報を販売済み宝くじ券情報へと更新する。そして、受付管理部が販売情報を受信することにより売り場販売管理データベースもしくはネットワーク販売管理データベースで保持する未販売宝くじ券情報の示す宝くじ券が不足すると、在庫管理データベースで保持する在庫宝くじ券情報もしくは売り場販売管理データベースまたはネットワーク販売管理データベースで保持する未販売宝くじ券情報を、未販売宝くじ券情報の示す宝くじ券が不足している売り場販売管理データベースまたはネットワーク販売管理データベースへ振り替える。
これにより、宝くじ券売り場もしくは宝くじ券販売サイトで販売する未販売宝くじ券情報が不足しても、随時、在庫管理データベースもしくは売り場販売管理データベースもしくはネットワーク販売管理データベースから在庫宝くじ券もしくは未販売宝くじ券の振替えが出来るので、宝くじ券売り場や、宝くじ券販売サイトで販売する未販売宝くじ券情報を不足することなく管理することができる。また、予め宝くじ券売り場で販売する宝くじ券の製造を行わなくても、未販売宝くじ券が振替えられてから製造を行なうことにより、製造した宝くじ券が余ることがなく宝くじ券の製造を行なうことができる。
【図面の簡単な説明】
【図１】本実施形態による宝くじ券販売システムの構成を示す概略ブロック図である。
【図２】本実施形態による、在庫管理データベース１４で保持している宝くじ券情報の内容を示す表である。
【図３】本実施形態による、売り場販売管理データベース１５で保持する宝くじ券情報の内容を示す表である。
【図４】本実施形態による、ネットワーク販売管理データベース１６で保持する宝くじ券情報の内容を示す表である。
【図５】本実施形態による、宝くじ券販売装置１において、売り場販売管理データベースで未販売宝くじ券レコードが不足した場合の処理概要を示すフローチャートである。
【図６】本実施形態による、宝くじ券販売装置１において、ネットワーク販売管理データベースで未販売宝くじ券レコードが不足した場合の処理概要を示すフローチャートである。
【図７】本実施形態による、在庫管理データベース１４で管理する宝くじ券情報から、在庫宝くじ券レコードが無くなった状況下において、売り場販売管理データベースで未販売宝くじ券レコードが不足した場合の宝くじ券販売装置１の処理概要を示すフローチャートである。
【図８】本実施形態による、在庫管理データベース１４で管理する宝くじ券情報から在庫宝くじ券が無くなった状況下において、宝くじ券販売サイトで販売する宝くじ券が不足した場合の宝くじ券販売装置１の処理概要を示すフローチャートである。
【符号の説明】
１：宝くじ券販売装置、２：インターネット、３：購入者端末、４：売り場端末、５：工場、１１：受付管理部、１２：振替管理部、１３：製造指示管理部、１４：在庫管理データベース、１５：売り場販売管理データベース、１６：ネットワーク販売管理データベース
【図１】
2004199583.tif 000003
【図２】
2004199583.tif 000004
【図３】
2004199583.tif 000005
【図４】
2004199583.tif 000006
【図５】
2004199583.tif 000007
【図６】
2004199583.tif 000008
【図７】
2004199583.tif 000009
【図８】
2004199583.tif 000010